【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
容量タッチ検出および非タッチ検出のためのセンサ配列であって、前記センサ配列は、伝送電極と、評価ユニットに結合される所定の数の受信電極とを備え、前記評価ユニットは、非タッチ検出モードおよびタッチ検出モードで動作し、前記伝送電極は、交流電気近接場を発生させ、前記受信電極は、前記交流電気近接場の乱れを測定し、
前記非タッチ検出モードでは、前記評価ユニットは、物体の３次元位置を決定するために前記受信電極からの信号を評価するように構成され、
前記タッチ検出モードでは、前記所定の数の受信電極によって画定された表面タッチ検出面積は、複数の区分に分割され、各区分内では、前記所定の数の電極のうちの少なくとも２つの電極が、その電極表面積の一部を用いて寄与し、各区分内の電極表面積は、異なる電極表面積比率が前記複数の区分毎に形成されるように選択され、前記評価ユニットは、前記受信電極からの信号を評価するようにさらに構成され、前記受信電極から受信された個別の信号レベルから前記比率を決定し、特定の区間がタッチされたか否かを前記比率からさらに決定する、センサ配列。
【請求項２】
各区分は、仮想タッチボタンを画定し、前記仮想タッチボタンの数は、前記受信電極の数を上回る、請求項１に記載のセンサ配列。
【請求項３】
各区分は、２つの寄与受信電極を備える、請求項１に記載のセンサ配列。
【請求項４】
区分内の前記２つの寄与受信電極の各々の電極表面積は、第１の表面積および第２の表面積から選択され、前記第１の表面積は、前記第２の表面積より大きい、請求項３に記載のセンサ配列。
【請求項５】
前記所定の数の電極は、５つであり、全５つの受信電極からの信号が、前記非タッチ検出モードにおいて使用される、請求項１に記載のセンサ配列。
【請求項６】
前記所定の数の電極は、４つであり、全４つの受信電極からの信号が、前記非タッチ検出モードにおいて使用される、請求項１に記載のセンサ配列。
【請求項７】
前記センサ配列は、前記非タッチモードで動作するように構成され、タッチ表面までの所定の閾値距離を下回る物体の検出時、前記タッチ検出モードに自動的に切り替わるようにさらに構成される、請求項１に記載のセンサ配列。
【請求項８】
前記所定の数の電極は、交互配置形式で配列され、非タッチジェスチャ検出モードでは、前記所定の数の電極の電極のうちの４つは、フレーム状配列を提供する、請求項１に記載のセンサ配列。
【請求項９】
前記交互配置されたセンサは、フレーム状構造を形成する、請求項８に記載のセンサ配列。
【請求項１０】
２つの寄与電極は、前記複数の受信電極から受信された信号の最高信号強度によって前記複数の電極から選択される、請求項１に記載のセンサ配列。
【請求項１１】
前記所定の数の受信電極は、５つであり、前記５つの受信電極は、前記複数の区分を提供するように交互配置形式で配列され、前記区分は、前記表面タッチ検出面積を被覆するマトリクスで配列される、請求項１に記載のセンサ配列。
【請求項１２】
前記マトリクスは、５×４区分を提供する、請求項１１に記載のセンサ配列。
【請求項１３】
前記マトリクスは、３×４区分を提供し、前記５つの受信電極のうちの２つは、付加的なスライダ機能を提供する、請求項１１に記載のセンサ配列。
【請求項１４】
前記受信電極のうちの２つは、櫛型形式で配列され、各受信電極は、複数のフィンガを有し、各電極のフィンガの幅は、スライダ機能を提供するように変動される、請求項１に記載のセンサ配列。
【請求項１５】
各受信電極は、複数のフィンガを有し、対の受信電極は、隣接する区分の列を形成するように線に沿って櫛型形式で配列され、各区分は、仮想ボタンを画定する、請求項１に記載のセンサ配列。
【請求項１６】
前記線は、直線である、請求項１５に記載のセンサ配列。
【請求項１７】
前記線は、曲線状である、請求項１５に記載のセンサ配列。
【請求項１８】
非タッチ検出モードでは、前記評価ユニットは、前記受信電極から受信された信号の第１の導出または第２の導出を算出し、前記第１の導出または前記第２の導出の変化を経時的に測定するようにさらに構成される、請求項１〜１７のいずれか１項に記載のセンサ配列。
【請求項１９】
容量タッチ検出および非タッチ検出を行うための方法であって、前記方法は、交流電気近接場を発生させるために交流信号を伝送電極に供給することと、所定の数の受信電極に結合される評価ユニットを非タッチ検出モードおよびタッチ検出モードで動作させることとを含み、前記受信電極は、前記交流電気近接場の乱れを測定し、
前記非タッチ検出モードにあるとき、前記評価ユニットは、物体の３次元位置を決定するために前記受信電極からの信号を評価し、
前記所定の数の受信電極によって画定された表面タッチ検出面積を複数の区分に分割し、各区分内では、前記所定の数の受信電極のうちの少なくとも２つの受信電極が、その電極表面積の一部を用いて寄与し、各区分内の電極表面積は、異なる電極表面積比率が前記複数の区分毎に形成されるように選択され、
前記タッチ検出モードにあるとき、前記評価ユニットが、前記所定の数の受信電極のうちの少なくとも２つの受信電極からの信号を評価し、前記所定の数の受信電極のうちの少なくとも２つの受信電極から受信された信号の信号比率を算出し、
前記区画のうちの１つがタッチされたか否かを前記算出された信号比率から決定する、方法。
【請求項２０】
各区分は、仮想タッチボタンを画定し、前記仮想タッチボタンの数は、前記電極の数を上回る、請求項１９に記載の方法。
【請求項２１】
各区分は、２つの寄与受信電極を備える、請求項１９に記載の方法。
【請求項２２】
区分内の前記２つの寄与受信電極の各々の電極表面積は、第１の表面積および第２の表面積から選択され、前記第１の表面積は、前記第２の表面積より大きい、請求項２１に記載の方法。
【請求項２３】
前記所定の数の電極は、５つであり、全５つの受信電極からの信号が、前記非タッチ検出モードにおいて使用される、請求項１９に記載の方法。
【請求項２４】
前記所定の数の電極は、４つであり、全４つの受信電極からの信号が、前記非タッチ検出モードにおいて使用される、請求項１９に記載の方法。
【請求項２５】
前記センサ配列は、前記非タッチモードで動作し、タッチ表面までの所定の閾値距離を下回る物体の検出時、前記タッチ検出モードに自動的に切り替わる、請求項１９に記載の方法。
【請求項２６】
前記所定の数の電極は、交互配置形式で配列され、非タッチジェスチャ検出モードでは、前記所定の数の電極の電極のうちの４つは、フレーム状配列を提供する、請求項１９に記載の方法。
【請求項２７】
２つの寄与電極は、個別の受信電極によって受信された信号の信号強度によって前記複数の電極から選択される、請求項１９に記載の方法。
【請求項２８】
前記受信電極のうちの２つは、櫛型形式で配列され、各受信電極は、複数のフィンガを有し、各電極のフィンガの幅は、変動され、前記方法は、スライダ機能を提供するために前記受信電極のうちの２つからの信号を評価することをさらに含む、請求項１９に記載の方法。
【請求項２９】
非タッチ検出モードにおける手の移動は、ｘ次元およびｙ次元における信号パターンデコーディングのために、経時的に少なくとも２つの信号シフト最大値を作り出す、請求項１９に記載の方法。
【手続補正２】
【補正対象書類名】明細書
【補正対象項目名】０００９
【補正方法】変更
【補正の内容】
【０００９】
その方法のさらなる実施形態によると、各区分は、仮想タッチボタンを画定してもよく、仮想タッチボタンの数は、電極の数を上回る。その方法のさらなる実施形態によると、各区分は、２つの寄与受信電極を備えてもよい。その方法のさらなる実施形態によると、区分内の２つの寄与受信電極の各々の電極表面積は、第１の表面積および第２の表面積から選択されてもよく、第１の表面積は、第２の表面積より大きい。その方法のさらなる実施形態によると、所定の数の電極は、５つであることができ、全５つの受信電極からの信号は、非タッチ検出モードにおいて使用される。その方法のさらなる実施形態によると、所定の数の電極は、４つであることができ、全４つの受信電極からの信号は、非タッチ検出モードにおいて使用される。その方法のさらなる実施形態によると、センサ配列は、非タッチモードで動作してもよく、タッチ表面までの所定の閾値距離を下回る物体の検出時、タッチ検出モードに自動的に切り替わる。その方法のさらなる実施形態によると、所定の数の電極は、交互配置形式で配列されることができ、非タッチジェスチャ検出モードでは、所定の数の電極の電極のうちの４つは、フレーム状配列を提供する。その方法のさらなる実施形態によると、仮想タッチボタンのタッチは、複数の受信電極からの２つの寄与電極によってデコードされることができる。その方法のさらなる実施形態によると、２つの寄与電極は、個別の受信電極によって受信された信号の信号強度によって複数の電極から選択されることができる。その方法のさらなる実施形態によると、受信電極のうちの２つは、櫛型形式で配列されることができ、各受信電極は、複数のフィンガを有し、各電極のフィンガの幅は、変動され、その方法は、スライダ機能を提供するために該受信電極のうちの２つからの信号を評価することをさらに含む。その方法のさらなる実施形態によると、非タッチ検出モードにおける手の移動は、ｘ次元およびｙ次元における信号パターンデコーディングのために、経時的に少なくとも２つの信号シフト最大値を作り出してもよい。
本発明は、例えば、以下を提供する。
（項目１）
容量タッチ検出および非タッチ検出のためのセンサ配列であって、前記センサ配列は、伝送電極と、評価ユニットに結合される所定の数の受信電極とを備え、前記評価ユニットは、非タッチ検出モードおよびタッチ検出モードで動作し、前記伝送電極は、交流電気近接場を発生させ、
前記非タッチ検出モードでは、前記評価ユニットは、物体の３次元位置を決定するために前記受信電極からの信号を評価し、
前記タッチ検出モードでは、前記所定の数の電極によって画定された表面タッチ検出面積は、複数の区分に分割され、各区分内では、前記所定の数の電極のうちの少なくとも２つの電極が、異なる電極表面積比率が前記複数の区分毎に形成されるように、その電極表面積の一部を用いて寄与する、センサ配列。
（項目２）
各区分は、仮想タッチボタンを画定し、前記仮想タッチボタンの数は、前記電極の数を上回る、項目１に記載のセンサ配列。
（項目３）
各区分は、２つの寄与受信電極を備える、項目１に記載のセンサ配列。
（項目４）
区分内の前記２つの寄与受信電極の各々の電極表面積は、第１の表面積および第２の表面積から選択され、前記第１の表面積は、前記第２の表面積より大きい、項目３に記載のセンサ配列。
（項目５）
前記所定の数の電極は、５つであり、全５つの受信電極からの信号が、前記非タッチ検出モードにおいて使用される、項目１〜４のいずれか１項に記載のセンサ配列。
（項目６）
前記所定の数の電極は、４つであり、全４つの受信電極からの信号が、前記非タッチ検出モードにおいて使用される、項目１〜５のいずれか１項に記載のセンサ配列。
（項目７）
前記センサ配列は、前記非タッチモードで動作し、タッチ表面までの所定の閾値距離を下回る物体の検出時、前記タッチ検出モードに自動的に切り替わる、項目１〜６のいずれか１項に記載のセンサ配列。
（項目８）
前記所定の数の電極は、交互配置形式で配列され、前記非タッチジェスチャ検出モードでは、前記所定の数の電極の電極のうちの４つは、フレーム状配列を提供する、項目１〜７のいずれか１項に記載のセンサ配列。
（項目９）
前記交互配置されたセンサは、フレーム状構造を形成する、項目８に記載のセンサ配列。
（項目１０）
仮想タッチボタンのタッチは、前記複数の受信電極からの２つの寄与電極によってデコードされる、項目１〜９のいずれか１項に記載のセンサ配列。
（項目１１）
前記２つの寄与電極は、個別の受信電極によって受信された信号の信号強度によって前記複数の電極から選択される、項目１０に記載のセンサ配列。
（項目１２）
前記所定の数の受信電極は、５つであり、前記５つの受信電極は、前記複数の区分を提供するように交互配置形式で配列され、前記区分は、前記表面タッチ検出面積を被覆するマトリクスで配列される、項目１〜１１のいずれか１項に記載のセンサ配列。
（項目１３）
前記マトリクスは、５×４区分を提供する、項目１２に記載のセンサ配列。
（項目１４）
前記マトリクスは、３×４区分を提供し、前記５つの受信電極のうちの２つは、付加的なスライダ機能を提供する、項目１２に記載のセンサ配列。
（項目１５）
前記受信電極のうちの２つは、櫛型形式で配列され、各受信電極は、複数のフィンガを有し、各電極のフィンガの幅は、スライダ機能を提供するように変動される、項目１〜１４のいずれか１項に記載のセンサ配列。
（項目１６）
各受信電極は、複数のフィンガを有し、対の受信電極は、隣接する区分の列を形成するように線に沿って櫛型形式で配列され、各区分は、仮想ボタンを画定する、項目１〜１５のいずれか１項に記載のセンサ配列。
（項目１７）
前記線は、直線である、項目１〜１６のいずれか１項に記載のセンサ配列。
（項目１８）
前記線は、曲線である、項目１〜１７のいずれか１項に記載のセンサ配列。
（項目１９）
非タッチ検出モードにおける手の移動は、ｘ次元およびｙ次元における信号パターンデコーディングのために、経時的に少なくとも２つの信号シフト最大値を作り出す、項目１〜１８のいずれか１項に記載のセンサ配列。
（項目２０）
容量タッチ検出および非タッチ検出を行うための方法であって、前記方法は、交流電気近接場を発生させるために交流信号を伝送電極に供給することと、所定の数の受信電極に結合される評価ユニットを非タッチ検出モードおよびタッチ検出モードで動作させることとを含み、
前記非タッチ検出モードでは、前記評価ユニットは、物体の３次元位置を決定するために前記受信電極からの信号を評価し、
前記タッチ検出モードでは、前記所定の数の受信電極によって画定された表面タッチ検出面積は、複数の区分に分割され、各区分内では、前記所定の数の電極のうちの少なくとも２つの電極が、異なる電極表面積比率が前記複数の区分毎に形成されるように、その電極表面積の一部を用いて寄与し、前記評価ユニットは、タッチ場所を決定するために前記所定の数の受信電極のうちの種々の少なくとも２つからの信号を評価する、方法。
（項目２１）
各区分は、仮想タッチボタンを画定し、前記仮想タッチボタンの数は、前記電極の数を上回る、項目２０に記載の方法。
（項目２２）
各区分は、２つの寄与受信電極を備える、項目２０に記載の方法。
（項目２３）
区分内の前記２つの寄与受信電極の各々の電極表面積は、第１の表面積および第２の表面積から選択され、前記第１の表面積は、前記第２の表面積より大きい、項目２２に記載の方法。
（項目２４）
前記所定の数の電極は、５つであり、全５つの受信電極からの信号が、前記非タッチ検出モードにおいて使用される、項目２０〜２３のいずれか１項に記載の方法。
（項目２５）
前記所定の数の電極は、４つであり、全４つの受信電極からの信号が、前記非タッチ検出モードにおいて使用される、項目２０〜２４のいずれか１項に記載の方法。
（項目２６）
前記センサ配列は、前記非タッチモードで動作し、タッチ表面までの所定の閾値距離を下回る物体の検出時、前記タッチ検出モードに自動的に切り替わる、項目２０〜２５のいずれか１項に記載の方法。
（項目２７）
前記所定の数の電極は、交互配置形式で配列され、前記非タッチジェスチャ検出モードでは、前記所定の数の電極の電極のうちの４つは、フレーム状配列を提供する、項目２０〜２３のいずれか１項に記載の方法。
（項目２８）
仮想タッチボタンのタッチは、前記複数の受信電極からの２つの寄与電極によってデコードされる、項目２１に記載の方法。
（項目２９）
前記２つの寄与電極は、個別の受信電極によって受信された信号の信号強度によって前記複数の電極から選択される、項目２８に記載の方法。
（項目３０）
前記受信電極のうちの２つは、櫛型形式で配列され、各受信電極は、複数のフィンガを有し、各電極のフィンガの幅は、変動され、前記方法は、スライダ機能を提供するために前記受信電極のうちの２つからの信号を評価することをさらに含む、項目２０〜２９のいずれか１項に記載の方法。
（項目３１）
非タッチ検出モードにおける手の移動は、ｘ次元およびｙ次元における信号パターンデコーディングのために、経時的に少なくとも２つの信号シフト最大値を作り出す、項目２０〜３０のいずれか１項に記載の方法。